(57)【要約】【課題】二次電池をより有効活用できるようにすることを目的とする。【解決手段】放射線撮影センサユニットは、二次電池を着脱可能であり、二次電池の電池残量が予め定められた計測開始レベルに低下すると、放射線撮影センサユニットの撮影実施に関する操作回数の計測を開始し、電池残量が予め定められた計測終了レベルに低下すると、計測を終了し、計測した操作回数を計測情報として二次電池より読み取った二次電池を識別する識別情報と共に制御装置に送信する。制御装置は、放射線撮影センサユニットより、計測情報と、識別情報と、を受信すると、計測情報と、識別情報と、を関連付けて、記憶部に記憶する。【選択図】図１
2012249947.tif 000002
【特許請求の範囲】
【請求項１】
記憶部と、前記記憶部と通信可能な制御装置と、前記制御装置と通信可能な、放射線を検出して放射線画像を生成する放射線撮影センサユニットと、を含む放射線画像撮影システムであって、
前記放射線撮影センサユニットは、二次電池を着脱可能であり、二次電池の電池残量が予め定められた計測開始レベルに低下すると、前記放射線撮影センサユニットの撮影実施に関する操作回数の計測を開始し、前記電池残量が予め定められた計測終了レベルに低下すると、前記計測を終了し、前記計測した操作回数を計測情報として前記二次電池より読み取った前記二次電池を識別する識別情報と共に前記制御装置に送信し、
前記制御装置は、前記放射線撮影センサユニットより、前記計測情報と、前記識別情報と、を受信すると、前記計測情報と、前記識別情報と、を関連付けて、前記記憶部に記憶する放射線画像撮影システム。
【請求項２】
前記撮影実施に関する操作回数とは、単位Ｒｅａｄｙ時間毎の撮影回数、又は検査開始回数、又は放射線画像送信回数である請求項１記載の放射線画像撮影システム。
【請求項３】
前記制御装置は、操作者の入力装置に応じて、前記記憶部より前記計測情報を取得し、出力する請求項１又は２記載の放射線画像撮影システム。
【請求項４】
放射線を検出して放射線画像を生成する放射線撮影センサユニットであって、
二次電池を着脱可能であり、二次電池の電池残量が予め定められた計測開始レベルに低下すると、前記放射線撮影センサユニットの撮影実施に関する操作回数の計測を開始し、前記電池残量が予め定められた計測終了レベルに低下すると、前記計測を終了し、前記計測した操作回数を計測情報として前記二次電池より読み取った前記二次電池を識別する識別情報と共に記憶部と通信可能な制御装置に送信する放射線撮影センサユニット。
【請求項５】
記憶部と、前記記憶部と通信可能な制御装置と、前記制御装置と通信可能な、放射線を検出して放射線画像を生成する放射線撮影センサユニットと、を含む放射線画像撮影システムにおける情報処理方法であって、
前記放射線撮影センサユニットは、二次電池を着脱可能であり、
前記放射線撮影センサユニットが、二次電池の電池残量が予め定められた計測開始レベルに低下すると、前記放射線撮影センサユニットの撮影実施に関する操作回数の計測を開始するステップと、
前記放射線撮影センサユニットが、前記電池残量が予め定められた計測終了レベルに低下すると、前記計測を終了するステップと、
前記放射線撮影センサユニットが、前記計測した操作回数を計測情報として前記二次電池より読み取った前記二次電池を識別する識別情報と共に前記制御装置に送信するステップと、
前記制御装置が、前記放射線撮影センサユニットより、前記計測情報と、前記識別情報と、を受信すると、前記計測情報と、前記識別情報と、を関連付けて、前記記憶部に記憶するステップと、
を含む情報処理方法。
【請求項６】
放射線を検出して放射線画像を生成する放射線撮影センサユニットが実行する情報処理方法であって、
前記放射線撮影センサユニットは、二次電池を着脱可能であり、
二次電池の電池残量が予め定められた計測開始レベルに低下すると、前記放射線撮影センサユニットの撮影実施に関する操作回数の計測を開始するステップと、
前記電池残量が予め定められた計測終了レベルに低下すると、前記計測を終了するステップと、
前記計測した操作回数を計測情報として前記二次電池より読み取った前記二次電池を識別する識別情報と共に記憶部と通信可能な制御装置に送信するステップと、
を含む情報処理方法。
【請求項７】
二次電池を着脱可能であり、放射線を検出して放射線画像を生成するコンピュータに、
二次電池の電池残量が予め定められた計測開始レベルに低下すると、前記コンピュータの撮影実施に関する操作回数の計測を開始するステップと、
前記電池残量が予め定められた計測終了レベルに低下すると、前記計測を終了するステップと、
前記計測した操作回数を計測情報として前記二次電池より読み取った前記二次電池を識別する識別情報と共に記憶部と通信可能な制御装置に送信するステップと、
を実行させるためのプログラム。
【発明の詳細な説明】
【技術分野】
【０００１】
本発明は、放射線画像撮影システム、情報処理方法及びプログラムに関する。
【背景技術】
【０００２】
近年、医療施設において放射線画像のデジタル化が進み、特許文献１に示すような、フィルムに替わり平面型の放射線画像撮影装置（Ｆｌａｔ  Ｐａｎｅｌ  Ｄｅｔｅｃｔｏｒ、以下ＦＰＤ）が普及し始めている。ＦＰＤには据え置き型に加えて、持ち運び可能な電子カセッテ型もある。
放射線撮影によって取得した画像は当初有線接続によりＦＰＤから情報処理装置へと送信されていたが、より取り扱いを向上させるため、無線接続可能なＦＰＤが実用化されている。
有線接続のＦＰＤは有線により電源供給を受けているのに対し、無線接続のＦＰＤはその可搬形態を実現するために、ＦＰＤ本体内蔵の充放電可能な二次電池を電源としているものがある。
ところで二次電池は充放電の繰り返しや経年によって劣化が進行し、蓄電容量が減少して撮影できなくなる場合がある。
この問題を解決するために、劣化の進行した二次電池と劣化のない二次電池とを交換できるよう、ＦＰＤ内蔵の二次電池を着脱可能な構成にしているものがある。
劣化する二次電池を極力有効活用する方法として、特許文献２に示すような充電システムの技術も開示されている。
【先行技術文献】
【特許文献】
【０００３】
【特許文献１】特開平９−０９８９７０号公報
【特許文献２】特開２０１０−２３７５８０号公報
【発明の概要】
【発明が解決しようとする課題】
【０００４】
ところが、特許文献２の充電システムを用いることができない場合、二次電池の劣化度合を客観的な情報で判断する手段がない。
人間の経験的主観により判断しなければならないため、本来あまり劣化していない二次電池に対して劣化していると誤判断する可能性があり、その場合電池交換が無駄になってしまう。
逆に既に劣化が進行しているのに対してあまり劣化していないと誤判断した場合は、撮影運用中に電池切れを起こしてしまう可能性がある。
何れの場合にしても電池を有効活用できない。
【０００５】
本発明はこのような問題点に鑑みなされたもので、二次電池をより有効活用できるようにすることを目的とする。
【課題を解決するための手段】
【０００６】
そこで、本発明は、記憶部と、記憶部と通信可能な制御装置と、制御装置と通信可能な、放射線を検出して放射線画像を生成する放射線撮影センサユニットと、を含む放射線画像撮影システムであって、放射線撮影センサユニットは、二次電池を着脱可能であり、二次電池の電池残量が予め定められた計測開始レベルに低下すると、放射線撮影センサユニットの撮影実施に関する操作回数の計測を開始し、電池残量が予め定められた計測終了レベルに低下すると、計測を終了し、計測した操作回数を計測情報として二次電池より読み取った二次電池を識別する識別情報と共に制御装置に送信し、制御装置は、放射線撮影センサユニットより、計測情報と、識別情報と、を受信すると、計測情報と、識別情報と、を関連付けて、記憶部に記憶する。
【発明の効果】
【０００７】
本発明によれば、二次電池をより有効活用できるようにすることができる。
【図面の簡単な説明】
【０００８】
【図１】実施形態１の放射線画像撮影システム等の基本構成を例示的に示す図である。
【図２】放射線撮影センサユニット１０３において実行される情報処理を表したフローチャートである。
【図３】制御装置１０２において実行される、計測情報受信時の情報処理を表したフローチャートである。
【図４】記憶部１０１において実行される、計測情報受信時の情報処理を表したフローチャートである。
【図５】制御装置１０２において実行される、計測情報要求時の情報処理を表したフローチャートである。
【図６】記憶部１０１において実行される、計測情報要求信号受信時の情報処理を表したフローチャートである。
【図７】実施形態２の放射線撮影システム等の構成を例示的に示す図である。
【発明を実施するための形態】
【０００９】
以下、本発明の実施形態について図面に基づいて説明する。
【００１０】
＜実施形態１＞
図１は、実施形態１の放射線画像撮影システム等の基本構成を例示的に示す図である。
制御装置１０２は、複数のセンサユニットと接続可能で、放射線画像撮影システムの全体を制御すると共に、何れかのセンサユニットとの接続切替を行うことができるようになっている。記憶部１０１は、不揮発性記憶装置である。放射線撮影センサユニット１０３は、放射線を検出して放射線画像を生成する。二次電池１０４は、リチウムイオン電池やニッケル水素電池等のような充放電可能な電池であり、前記センサユニットを駆動する。
記憶部１０１と制御装置１０２とは、オンラインネットワークで通信可能に接続されていてもよいし、有線で通信可能に接続されていてもよいし、記憶部１０１が制御装置１０２に内蔵していてもよい。この記憶部１０１は、制御装置１０２から参照可能である。放射線撮影センサユニット１０３と制御装置１０２との接続方法は有線無線を問わないが、有線による運用制限から解放するために、基本的には無線で通信可能に接続されているものとする。
放射線撮影センサユニット１０３は、無線接続の可搬形態を実現するために電源を内包する必要があり、そのため放射線撮影センサユニット１０３は電源となる二次電池１０４を内蔵している。二次電池１０４の劣化や充電等により交換や取り外しができるよう放射線撮影センサユニット１０３は二次電池１０４を着脱可能である。
放射線撮影センサユニット１０３には、それ自体の電源オンオフを切り替える手段を有しており、その手段は本体外面にスイッチを具備すること等により実現している。
電源オンであるとき、放射線撮影センサユニット１０３は、電力消費を抑えるためのＳｌｅｅｐ状態と、放射線検出及び放射線画像生成するためのＲｅａｄｙ状態と、の何れか１つの状態で動作する。
制御装置１０２から送信される状態切替信号によって放射線撮影センサユニット１０３はＳｌｅｅｐ状態とＲｅａｄｙ状態とを切り替えることができる。
二次電池１０４は、不揮発性の電池ＩＤ記憶部（不図示）を有しており、電池ＩＤ記憶部にこの二次電池固有（個体識別可能）の電池ＩＤを記憶している。電池ＩＤは、二次電池１０４製造時に同型の他の二次電池１０４と重複することがないように付与される。
放射線撮影センサユニット１０３は、内蔵する二次電池１０４から電池ＩＤを読み取る機能を有している。
【００１１】
放射線撮影センサユニット１０３は、内蔵する二次電池の電池残量を複数段階のレベルで判定する機能を有している。ここでの電池残量レベルは満充電状態から残量ゼロまで表すことができれば％単位であってもよいし、３段階レベル等数段階のレベル等であってもよい。
放射線撮影センサユニット１０３は、生成した放射線画像に加えて、内蔵する二次電池１０４の電池残量や電池ＩＤ、計測結果等の各種情報を制御装置１０２へ送信することができる。
記憶部１０１は、例えば、ＣＰＵ及びメモリ等を有しており、前記ＣＰＵが前記メモリに記憶されているプログラムに基づき処理を実行することによって、記憶部１０１の機能及び記憶部１０１に係るフローチャートの処理を実現する。
制御装置１０２は、例えば、記憶部１０１に記憶されているプログラム、又は自身にメモリがある場合等はそのメモリに記憶されているプログラムに基づき処理を実行することによって制御装置１０２の機能及び制御装置１０２に係るフローチャートの処理を実現する。
放射線撮影センサユニット１０３は、例えば、ＣＰＵ及びメモリ等を有しており、前記ＣＰＵが前記メモリに記憶されているプログラムに基づき処理を実行することによって、放射線撮影センサユニット１０３の機能及び放射線撮影センサユニット１０３に係るフローチャートの処理を実現する。
【００１２】
図２は、放射線撮影センサユニット１０３において実行される情報処理を表したフローである。
ステップＳ２０１にて操作者により放射線撮影センサユニット１０３の電源が投入される。すると、ステップＳ２０２にて放射線撮影センサユニット１０３は、記憶している計測情報をリセットし、ステップＳ２０３へ進む。
ステップＳ２０３にて放射線撮影センサユニット１０３は、二次電池１０４の電池残量レベルが所定の計測開始レベルより大きいかどうかを判定する。放射線撮影センサユニット１０３は、電池残量レベルが計測開始レベル以下であれば終了し、計測開始レベルより大きければステップＳ２０４へ進む。
ステップＳ２０４では放射線撮影センサユニット１０３は、二次電池１０４の電池残量レベルが所定の計測開始レベル以下に低下するまで待機する。放射線撮影センサユニット１０３は、電池残量レベルが計測開始レベルに低下したらステップＳ２０５へ進む。
ステップＳ２０５にて放射線撮影センサユニット１０３は、撮影実施に必要な特定の操作回数の計測を開始する。ここでいう撮影実施に必要な特定の操作回数とは、単位Ｒｅａｄｙ時間毎の撮影回数や、検査開始回数、制御装置１０２への放射線画像送信回数等の撮影に関係する各種動作の回数を指す。計測対象はそれらの内のどれか１つであってもよいし、複数であってもよい。
【００１３】
放射線撮影センサユニット１０３は、ステップＳ２０５による計測を、ステップＳ２０６にて二次電池１０４の電池残量レベルが所定の計測終了レベルに低下するまで行う。放射線撮影センサユニット１０３は、電池残量レベルが計測終了レベルに低下したらステップＳ２０７に進む。
ステップＳ２０７では放射線撮影センサユニット１０３は、ステップＳ２０５により開始された計測を終了し、ステップＳ２０８へ進む。
ステップＳ２０８では放射線撮影センサユニット１０３は、二次電池１０４の電池ＩＤを読み取り、電池ＩＤと計測した操作回数を計測情報として、放射線撮影センサユニット１０３と接続している制御装置１０２へ送信し、この電池ＩＤ毎に計測情報を集計させる。尚、計測開始レベルは満充電状態よりも低い必要があり、計測終了レベルは計測開始レベルよりも小さい必要がある。二次電池の電池ＩＤは、二次電池の識別情報の一例である。
【００１４】
図３は、制御装置１０２において実行される、計測情報受信時の情報処理を表したフローである。
制御装置１０２は、ステップＳ３０１にて、接続している放射線撮影センサユニット１０３より送信される計測情報を受信するまで待機する。制御装置１０２は、計測情報を受信したらステップＳ３０２へ進む。
ステップＳ３０２では制御装置１０２は、ステップＳ３０１にて受信した計測情報を記憶部１０１へ送信し、終了する。
【００１５】
図４は、記憶部１０１において実行される、計測情報受信時の情報処理を表したフローである。
記憶部１０１は、ステップＳ４０１にて制御装置１０２のステップＳ３０２によって送信される計測情報を受信するまで待機する。記憶部１０１は、計測情報を受信したらステップＳ４０２へ進む。
ステップＳ４０２では記憶部１０１は、ステップＳ４０２にて受信した計測情報について、電池ＩＤ毎に統計し、電池ＩＤと関連付けて記憶する。
【００１６】
図５は、制御装置１０２において実行される、計測情報要求時の情報処理を表したフローである。
ステップＳ５０１において、制御装置１０２は、操作者の入力操作により記憶部１０１へ、計測情報を要求するための計測情報要求信号を送信する。ここでの入力操作とは、制御装置が具備する入力装置（不図示）による入力操作であり、入力装置は、より具体的にはマウスやキーボード等である。
要求する計測情報の内容は、所定の電池ＩＤにのみ係る計測情報であってもよいし、記憶部１０１に記憶された全ての計測情報であってもよい。どの計測情報を要求するかを操作者の入力操作により選択し、制御装置１０２は、そのオーダーを要求信号に載せて送信する。
制御装置１０２は、送信後はステップＳ５０２で記憶部１０１から計測情報を受信するか、ステップＳ５０３で所定のタイムアウト時間が経過するまで待機する。
記憶部１０１から計測情報を受信したら操作者は制御装置１０２が具備する出力装置（不図示）により受信した計測情報を参照することができる。ここでいう出力装置とはＣＲＴや液晶モニタ等の表示装置であってもよいし、プリンタ等の印刷装置であってもよいし、ＨＤＤやＤＶＤ−ＲＡＭ等の外部記憶装置であってもよい。
制御装置１０２は、記憶部１０１から取得した計測情報を表として出力してもよいし、グラフとして出力してもよい。制御装置１０２は、計測情報を受信することなくタイムアウト時間が経過した場合、終了する。
【００１７】
図６は、記憶部１０１において実行される、計測情報要求信号受信時の情報処理を表したフローである。
記憶部１０１は、ステップＳ６０１にて制御装置１０２のステップＳ５０１によって送信される計測情報要求信号を受信するまで待機する。記憶部１０１は、計測情報要求信号を受信したらステップＳ６０２へ進む。
ステップＳ６０２では、記憶部１０１は、記憶部１０１が記憶している計測情報の内、計測情報要求信号のオーダーが示す計測情報を、ステップＳ５０１で計測情報要求信号を送信した制御装置１０２へ送信し、終了する。
【００１８】
＜実施形態２＞
図７は、実施形態２の放射線撮影システム等の構成を例示的に示す図である。
この構成は図１の構成における制御装置１０２を単数又は複数、又は放射線撮影センサユニット１０３及び具備する二次電池１０４を単数又は複数にした構成である。
記憶部７０１は、記憶部１０１と同一であり、動作も等しい。
制御装置７１１、７１２、７１３は、制御装置１０２と同一であり、動作も等しい。図７では７１１、７１２、７１３の３つの制御装置として図示しているが、制御装置が単一であってもよいし、複数であってもよいし、数量は問わない。
放射線撮影センサユニット７２１、７２２、７２３、７２４は、放射線撮影センサユニット１０３と同一であり、動作も等しい。
放射線撮影センサユニット７２１、７２２、７２３、７２４それぞれに具備される二次電池７３１、７３２、７３３、７３４は、二次電池１０４と同一であり、動作も等しい。
図７では放射線撮影センサユニット７２１、７２２、７２３、７２４及び二次電池７３１、７３２、７３３、７３４の４組の放射線撮影センサユニットと二次電池として図示している。しかしながら、放射線撮影センサユニットと二次電池とが単一組であってもよいし、複数組であってもよいし、数量は問わない。
記憶部７０１と制御装置７１１、７１２、７１３との接続方法は、記憶部１０１と制御装置１０２との接続方法と同じく、オンラインネットワークで接続されていてもよいし、有線接続されていてもよい。
【００１９】
また、記憶部７０１が何れかの制御装置の内の１つに内蔵されており、記憶部７０１と送受信できるようその制御装置に他の制御装置が接続していてもよい。
制御装置７１１、７１２、７１３と放射線撮影センサユニット７２１、７２２、７２３、７２４との接続方法は、制御装置１０２と放射線撮影センサユニット１０３との接続方法と同じである。しかしながら、制御装置７１１、７１２、７１３はそれぞれ複数の放射線撮影センサユニットと接続できるのに対し、放射線撮影センサユニット７２１、７２２、７２３、７２４は何れか１つの制御装置に対してのみ接続できる。
図７では制御装置７１１は放射線撮影センサユニット７２１と接続しており、制御装置７１２は放射線撮影センサユニット７２２と接続しており、そして制御装置７１３は放射線撮影センサユニット７２３、７２４と接続していることを示している。
図７は接続例の１つであり、制御装置７１１、７１２、７１３は、それぞれ７２１、７２２、７２３、７２４のどの放射線撮影センサユニットと接続していてもよい。
また、操作者が制御装置７１１、７１２、７１３と放射線撮影センサユニット７２１、７２２、７２３、７２４の接続をそれぞれ任意に繋ぎ替えることもできる。
【００２０】
放射線撮影センサユニット７２１、７２２、７２３、７２４は放射線撮影センサユニット１０３と同じく、それぞれが具備する二次電池７３１、７３２、７３３、７３４を着脱可能である。したがって、放射線撮影センサユニット同士で二次電池を入れ替えたり、又は二次電池１０４と同一の新しい二次電池（不図示）と交換することもできる。
記憶部７０１は記憶部１０１と、制御装置７１１、７１２、７１３は制御装置１０２と、放射線撮影センサユニット７２１、７２２、７２３、７２４は放射線撮影センサユニット１０３と、二次電池７３１、７３２、７３３、７３４は二次電池１０４と、それぞれ同一であり動作も等しい。そのため、図２、図３、図４、図５、図６で説明した動作は、図７の各接続構成に置き換えることができる。
記憶部７０１は、記憶部１０１と同様に電池ＩＤ毎に計測情報を統計、及び記憶する。即ち、二次電池７３１、７３２、７３３、７３４それぞれの電池ＩＤ毎に計測情報を統計及び記憶する。勿論、二次電池１０４と同一の新しい二次電池（不図示）と交換する場合であっても、その新しい二次電池の電池ＩＤで記憶部７０１には計測情報が統計、記憶される。
【００２１】
＜その他の実施形態＞
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
【００２２】
以上、上述した各実施形態によれば、放射線撮影センサユニットの計測情報を二次電池毎に集計することが可能になり、この結果から二次電池の劣化度合を推測しやすくなるので二次電池をより有効活用できる。
また、放射線撮影センサユニットの接続先制御装置を切り替えたり、放射線撮影センサユニットの二次電池を入れ替えたりしても、二次電池個々に関連する計測情報を統計することが可能となる。
また、記憶部に接続している全ての制御装置が、二次電池個々に関連する計測情報を参照可能となる。
【００２３】
以上、本発明の好ましい実施形態について詳述したが、本発明は係る特定の実施形態に限定されるものではなく、特許請求の範囲に記載された本発明の要旨の範囲内において、種々の変形・変更が可能である。
【符号の説明】
【００２４】
１０１  記憶部、１０２  制御装置、１０３放射線撮影センサユニット
【図１】
2012249947.tif 000003
【図２】
2012249947.tif 000004
【図３】
2012249947.tif 000005
【図４】
2012249947.tif 000006
【図５】
2012249947.tif 000007
【図６】
2012249947.tif 000008
【図７】
2012249947.tif 000009